(57)【要約】      （修正有）【課題】通常の飲料水を、体内の活性酸素を消去する水素豊富水に簡単且つ効率的に変える水素豊富水生成器を提供する。【解決手段】水素豊富水生成器２は、中空棒状のケースを有し、ケース４の外殻の横断面形状は正六角形に形成され、外殻には、中空の内部へ飲料水が出入りできるように多数の穴６が形成されている。ケース４は、プラスチックの原姿であるレジンに抗酸化効果を持つミネラルや酵素を「水・熱・圧力」を利用する水熱化学反応で反応させ、抗酸化ミネラルを転写して製造したものである。ケース４内には不織布などの水が滲み込んだり滲み出る通水性の袋体８が配置され、該袋体８内に金属マグネシウムの粒１０と白金ナノコロイドの固形物からなる白金ナノコロイドの粒１２がそれぞれ所定量収納されている。【選択図】図１
0003195755.tif 000002
【実用新案登録請求の範囲】
【請求項１】
飲料水用の容器に投入可能であり、内部に水が出入り自在なケースの中空部に金属マグネシウムの粒と白金ナノコロイドの粒とを所定量ケースの外部に出ないように収納し、飲料水の入った容器内に前記ケースを入れると、容器内の飲料水と金属マグネシウム粒とが反応し金属マグネシウム粒から水素ガスが発生して、飲料水を水素を豊富に含む水素豊富水に変えるとともに、該水素豊富水に白金ナノコロイドの粒が溶けて反応し、該水素豊富水を白金ナノコロイドの成分を含む水素豊富水とするようにしたことを特徴とする水素豊富水生成器。
【考案の詳細な説明】
【技術分野】
【０００１】
本考案は、飲んだり皮膚に塗布することで体内の活性酸素の消去や皮膚の老化によるシミや皺の改善に有効な水素豊富水を生成する水素豊富水生成器に関する。
【背景技術】
【０００２】
水素を多量に含む水が癌その他各種の病気の原因とされる活性酸素の消去に有効であるという学説が近年医学界において発表され注目されている。
活性酸素は酸素が化学的に活性になった状態で、一般に非常に不安定で強い酸化力を示す。狭義の活性酸素は、スーパーオキシド、ヒドロキシルラジカル、一重項酸素、過酸化水素が挙げられる。これら活性酸素は癌や心臓疾患、脳血管障害などの生活習慣病や老化につながる原因物質であると言われている。内部に水が浸入可能なケースに金属マグネシウム粒を配置し、このケースを飲料水の入った容器に投ずることで、金属マグネシウム粒と飲料水とを容器内で反応させ、容器内の飲料水を水素を豊富に含む水素豊富水に変えるようにした水素豊富水生成器が従来知られている（例えば特許文献１，２，３参照）。
【先行技術文献】
【特許文献】
【０００３】
【特許文献１】特許第４２５２４３４号公報
【特許文献２】特許第５０５５００５号公報
【特許文献３】ＵＳ特許Ｎｏ．３４２８，７５２公報
【考案の概要】
【考案が解決しようとする課題】
【０００４】
本考案は、水素と白金ナノコロイドを合体させることで活性酸素を消去する機能を更に強化した水素豊富水生成器を提供することを目的とする。
【課題を解決するための手段】
【０００５】
上記目的を達成するため、本考案は、飲料水用の容器に投入可能であり、内部に水が出入り自在なケースの中空部に金属マグネシウムの粒と白金ナノコロイドの粒とを所定量ケースの外部に出ないように収納し、飲料水の入った容器内に前記ケースを入れると、容器内の飲料水と金属マグネシウム粒とが反応し金属マグネシウム粒から水素ガスが発生して、飲料水を水素を豊富に含む水素豊富水に変えるとともに、該水素豊富水に白金ナノコロイドの粒が溶けて反応し、該水素豊富水を白金ナノコロイドの成分を含む水素豊富水とするようにしたことを特徴とするものである。
【考案の効果】
【０００６】
本考案は、白金ナノコロイドと水素水を合体させることで、活性酸素消去機能を相乗的に高めることができ、更なる健康増進が期待できる水素水を提供することができる。
【図面の簡単な説明】
【０００７】
【図１】本考案に係る水素豊富水生成器の断面図である。
【図２】本考案に係る水素豊富水生成器の外観図である。
【図３】本考案に係る水素豊富水生成器の説明図である。
【図４】ラジカルの測定結果を示すグラフである。
【図５】ラジカルの測定結果を示すグラフである。
【図６】ラジカルの測定結果を示すグラフである。
【図７】ラジカルの測定結果を示すグラフである。
【図８】ラジカルの測定結果を示すグラフである。
【図９】ラジカルの測定結果を示すグラフである。
【図１０】各スペクトルの最大ピーク強度を示す表である。
【図１１】サンプルのラジカル除去能を示すグラフである。
【考案を実施するための形態】
【０００８】
以下に本考案の実施の形態を添付した図面を参照して詳細に説明する。
図中、符号４は水素豊富水生成器２の、中空棒状のケースであり、スティックと称している。ケース４の外殻の横断面形状は正六角形に形成され、外殻には、中空の内部へ飲料水が出入りできるように多数の穴６が形成されている。ケース４は、プラスチックの原姿であるレジンに抗酸化効果を持つミネラルや酵素を「水・熱・圧力」を利用する水熱化学反応で反応させ、抗酸化ミネラルを転写して製造したものである。
【０００９】
ケース４内には不織布などの水が滲み込んだり滲み出る通水性の袋体８が配置され、該袋体８内に金属マグネシウムの粒１０と白金ナノコロイドの固形物からなる白金ナノコロイドの粒１２がそれぞれ所定量収納されている。
なお、本実施形態では、筒状のケース４内に、金属マグネシウムの粒１０と白金ナノコロイドの固形物からなる白金ナノコロイドの粒１２がそれぞれ所定量充填されている不織布などの袋体８を収納して水素豊富水生成器２を構成しているが、この構成に特に限定されるものではなく、金属マグネシウムの粒１０と白金ナノコロイドの固形物からなる白金ナノコロイドの粒１２がそれぞれ所定量充填されている袋体８（ケース）のみで水素豊富水生成器２を構成するようにしても良い。また、筒状のケース４の外殻に、内部の金属マグネシウムの粒１０と白金ナノコロイドの固形物からなる白金ナノコロイドの粒１２の粒径より小さな通水のための小孔を設け、ケース４に直接、袋体を介さないで、金属マグネシウム及び白金ナノコロイドの粒を配置した構成としてもよい。
【００１０】
上記した構成において、図１に示すように、ケース４内に所定数の金属マグネシウムの粒１０と白金ナノコロイドの粒１２を充填した水素豊富水生成器２を、常温あるいは冷却した飲料水１４の入った容器１４内に投入する。水素豊富水生成器２投入後、１０分程度経過すると、容器６内の飲料水１４は、ケース４内のマグネシウム粒８と反応し、次の化学式によって水素ガスを発生する。
【００１１】
［化１］
Ｍｇ＋２Ｈ2Ｏ→Ｍｇ（ＯＨ）2＋２Ｈ→Ｍｇ（ＯＨ）2＋Ｈ2
その結果、容器内１４内の常温あるいは冷却した水道水などの飲料水１４は、水素を豊富に含んだ水となる。また、ケース４内の白金ナノコロイド粒体１０が飲料水１４と反応し、白金ナノコロイド粒体１０の成分が飲料水に溶け込み、容器１６内の飲料水１４は水素分子と白金ナノコロイドの成分を豊富に含む水となる。
この水素と白金ナノコロイドを合体させて生成した水素水は、実験の結果、より多くの体内の活性酸素を消去することが判明した。
また、東京大学・九州大学の研究の結果、優れた抗酸化力を持つ水素と白金ナノコロイドを合体させることで水素の体内への吸収率が上昇することが判明した。
【００１２】
次に本考案の効果を実証するための実験例について以下に説明する。
測定内容は、
測定対象物である水素水／白金ナノコロイド混合溶液中のＤＭＰＯ（５，５ジメチル−１−１−ピロリン−Ｎ−オキシド）とフェントン反応によるヒドロキシラジカル（活性酸素）の反応物であり、生成されたラジカル量の比較を行う。測定装置としては、Ｋｅｙｃｏｍ社製ＸバンドＥＳＲ装置ＥＳＲＸ−１を使用した。ヒドロキシラジカルの発生方法としてフェントン反応を用いた。フェントン反応は過酸化水素を鉄イオンや銅イオンの触媒作用によりヒドロキシラジカルを発生させる反応である。
【００１３】
フェントン反応により生成されたヒドロキシラジカルは反応性が高く、寿命が短いためそのままではＥＳＲ（電子スピン共鳴）測定を行うことができない。したがってヒドロキシラジカルと反応し、安定したラジカルを有する構造をとるＤＭＰＯを用いた。実験に用いたサンプルは、図４の表に示す通りである。
反応及びスピンとラップに用いる溶液ａ、ｂ、ｃの調整法は以下に示す通りである。
【００１４】
（ａ）．  鉄イオン（Ｆｅ２＋）水溶液の調整（１０ｍｍｏｌ／Ｌ）
硫酸第一鉄七水和物を０，２７８ｇ量り取り、蒸留水１０ｍＬを加え溶解させ１００ｍｍｏｌ／Ｌの鉄イオン（Ｆｅ２＋）水溶液を調整した。その後１００ｍｍｏｌ／Ｌの鉄イオン（Ｆｅ２＋）水溶液を１ｍＬ量り取り、１０倍に希釈して１０ｍｍｏｌ／Ｌの鉄イオン（Ｆｅ２＋）水溶液を調整した。
（ｂ）．  過酸化水素水の調整（２００ｍｍｏｌ／Ｌ）
３０％過酸化水素水を１１３ｍｉｃｒｏｎＬ量り取り、蒸留水４，９５ｍＬと混合し、２００ｍｍｏｌ／Ｌ過酸化水素水を調整した。
（ｃ）．  ＤＭＰＯ溶液の調整（２００ｍｍｏｌ／Ｌ）
ＤＭＰＯを６０ｍｉｃｒｏｎＬ量り取り、蒸留水３ｍＬと混合し２００ｍｍｏｌ／ＬのＤＭＰＯ溶液を調整した。
【００１５】
サンプルＡ−Ｅにそれぞれａ、ｂ、ｃを０，３ｍＬずつ加え反応開始とした。
測定は反応開始５分後に行った。図５〜９のグラフにそれぞれの測定結果を示した。ここで横軸は磁場（ＭＴ）であり３００ｍＴと３３８ｍＴ付近に見えるピークはＭｎ２＋／ＭＧＯ（マンガンマーカー）由来のものである。
また、全ての測定において、マンガンマーカーの位置（差し込み深度）は同一であり、全ての図５〜９に示すグラフは、このマンガンマーカーのピークで割った値となっている。
【００１６】
図１０の表は、スペクトルの最大強度の値を示す表であり、図１１は、それを元に作成したグラフを示している。
縦軸に示すピーク強度が大きいほど多くのラジカルがトラップされているのでサンプルのラジカル除去能は以下の式のような関係となる。
E>D≧C>A>B
上記の実験での測定条件は下記の通りである。
【００１７】
マイクロ波パワー：４ｍＷ
掃引磁場幅      ：１５ｍＴ
掃引時間        ：１ｍｉｎ
変調磁場強度    ：０，５ｍＴ
時定数          ：０，０３ｓｅｃ
アンプ          ：２，５−１０
掃引開始磁場    ：３３５ｍＴ
扁平セル使用
【符号の説明】
【００１８】
２      水素豊富水生成器
４      ケース
６      穴
８      袋体
１０    金属マグネシウム粒
１２    白金ナノコロイド粒
１４    飲料水
１６    容器
【図１】
0003195755.tif 000003
【図２】
0003195755.tif 000004
【図３】
0003195755.tif 000005
【図４】
0003195755.tif 000006
【図５】
0003195755.tif 000007
【図６】
0003195755.tif 000008
【図７】
0003195755.tif 000009
【図８】
0003195755.tif 000010
【図９】
0003195755.tif 000011
【図１０】
0003195755.tif 000012
【図１１】
0003195755.tif 000013